(57)【要約】【課題】専門技術を有さない者であっても容易にかつ確実に管状ランプを天面に固定することができる管状ランプ固定具を提供すること。【解決手段】管状ランプ固定具１は、管状ランプ１２に一面を接して保持する保持部２、保持部の一軸方向の一側から一軸方向に交差する方向の一側に延伸して、保持部の一面に対する裏側に粘着面３ｂを有する第１吊下部３、保持部の一軸方向の他側から交差する方向の他側に延伸して、保持部の一面に対する裏側に粘着面４ｂを有する第２吊下部４を備える。これによれば、保持部の一面を管状ランプの下面１２ａに接して保持し、その下面から第１及び第２吊下部を、それぞれ交差する方向の一側及び他側に延伸し、さらに管状ランプの上面１２ｂ上で交差してそれぞれ交差する方向の他側及び一側に延伸して、それぞれの粘着面３ｂ，４ｂを天面に粘着することで管状ランプを天面に固定することができる。【選択図】図１
2019133822.tif 000002
【特許請求の範囲】
【請求項１】
管状ランプを天面に固定するための管状ランプ固定具であって、
前記管状ランプに一面を接して保持する保持部と、
前記保持部の一軸方向の一側から前記一軸方向に交差する方向の一側に延伸して、前記保持部の前記一面に対する裏面に粘着面を有する第１吊下部と、
前記保持部の前記一軸方向の他側から前記交差する方向の他側に延伸して、前記保持部の一面に対する裏側に粘着面を有する第２吊下部と、
を備えることを特徴とする管状ランプ固定具。
【請求項２】
前記保持部は、前記一面上に粘着面を有することを特徴とする、請求項１に記載の管状ランプ固定具。
【請求項３】
前記保持部は、透明であることを特徴とする、請求項１又は２に記載の管状ランプ固定具。
【請求項４】
前記第１吊下部及び前記第２吊下部は、前記保持部に接続する箇所の前記保持部の前記一面と同面に粘着面を有することを特徴とする、請求項１〜３のいずれか１項に記載の管状ランプ固定具。
【請求項５】
前記第１吊下部及び前記第２吊下部の粘着面は、透明であることを特徴とする、請求項４に記載の管状ランプ固定具。
【請求項６】
前記第１吊下部及び前記第２吊下部は、耐熱性を有することを特徴とする、請求項１〜５のいずれか１項に記載の管状ランプ固定具。
【発明の詳細な説明】
【技術分野】
【０００１】
本発明は、管状ランプを天面に固定するための管状ランプ固定具に関する。
【背景技術】
【０００２】
管状の照明器具である管状ランプを用いた照明具が広く利用されている。管状ランプは、その両端の棒状電極を支持部材に挿入して固定される。ここで、地震による振動、その他の理由により固定が外れて、管状ランプが天井等の天面から落下する危険がある。
【０００３】
近年、節電目的より、管状ランプとして、蛍光灯に替えて、発光ダイオード（ＬＥＤ）を使用する管状のＬＥＤ照明器具が急速に普及している。ＬＥＤの管状ランプは従来の蛍光灯に比べて重量が大きいため、落下を防止する処置が重要となる（例えば、特許文献１参照）。このため、支持部材による固定に加えて、別の管状ランプ固定具を使用することが好ましい。
【０００４】
ここで、管状ランプは、特に専門技術を有さない者にも容易に装着（支持部材に固定）することができる。管状ランプ固定具も同様に特に専門技術を有さない者にも容易にかつ確実に装着できることが好ましい。
【０００５】
しかし、既設の照明器具（管状ランプ装置）は、管状ランプの太さや天面からの離間距離が様々である。支持部材は管状ランプのサイズに合わせて設計されるが、管状ランプ固定具は１の固定具が上記の様々なサイズのいずれについても専門技術を有さない者が容易にかつ確実に装着できるものとすることが望まれる。
【先行技術文献】
【特許文献】
【０００６】
【特許文献１】特開２０１４−０８６２３３号公報
【発明の概要】
【発明が解決しようとする課題】
【０００７】
本発明は、専門技術を有さない者であっても容易にかつ確実に管状ランプを天面に固定することができる管状ランプ固定具を提供することを課題とする。
【課題を解決するための手段】
【０００８】
本発明の管状ランプ固定具は、
管状ランプを天面に固定するための管状ランプ固定具であって、
前記管状ランプに一面を接して保持する保持部と、
前記保持部の一軸方向の一側から前記一軸方向に交差する方向の一側に延伸して、前記保持部の前記一面に対する裏面に粘着面を有する第１吊下部と、
前記保持部の前記一軸方向の他側から前記交差する方向の他側に延伸して、前記保持部の一面に対する裏側に粘着面を有する第２吊下部と、
を備えることを特徴とする。
【０００９】
この特徴によれば、保持部の一面を管状ランプの下面に接して保持し、その下面から第１及び第２吊下部を、それぞれ交差する方向の一側及び他側に延伸し、さらに管状ランプの上面上で交差してそれぞれ交差する方向の他側及び一側に引いて、それぞれの粘着面を天面に粘着することで管状ランプを天面に固定することができる。
【００１０】
本発明の管状ランプ固定具は、
前記保持部は、前記一面上に粘着面を有することを特徴とする。
【００１１】
この特徴によれば、保持部の粘着面が管状ランプに粘着することで管状ランプを安定して固定することができる。
【００１２】
本発明の管状ランプ固定具は、
前記保持部は、透明であることを特徴とする。
【００１３】
この特徴によれば、管状ランプの下面から発する光を遮ることなく、管状ランプを保持することができる。
【００１４】
本発明の管状ランプ固定具は、
前記第１吊下部及び前記第２吊下部は、前記保持部に接続する箇所の前記保持部の前記一面と同面に粘着面を有することを特徴とする。
【００１５】
この特徴によれば、第１吊下部及び第２吊下部の粘着面が管状ランプに粘着することで管状ランプを安定して固定することができる。
【００１６】
本発明の管状ランプ固定具は、
前記第１吊下部及び前記第２吊下部の粘着面は、透明であることを特徴とする。
【００１７】
この特徴によれば、管状ランプの上面から発する光を遮ることなく、管状ランプを保持することができる。
【００１８】
本発明の管状ランプ固定具は、
前記第１吊下部及び前記第２吊下部は、耐熱性を有することを特徴とする。
【００１９】
この特徴によれば、上部において発熱するＬＥＤの管状ランプを固定する場合に、高温になる上面側に配される第１及び第２吊下部が耐熱性を有することで、管状ランプを長期間安定して固定することができる。
【発明の効果】
【００２０】
本発明によれば、専門技術を有さない者であっても容易にかつ確実に管状ランプを天面に固定することができる管状ランプ固定具を提供することが可能となる。
【図面の簡単な説明】
【００２１】
【図１】図１は、管状ランプ固定具の構成を示す図である。
【図２】図２は、管状ランプ装置の構成を示す図である。
【図３】図３は、固定形状の管状ランプ固定具の問題点を説明するための図である。
【図４】図４は、別形態の管状ランプ固定具の問題点を説明するための図である。
【図５】図５は、管状ランプ固定具の使用方法を説明するための側面図である。
【図６】図６は、管状ランプ固定具の使用方法を説明するための正面図である。
【発明を実施するための形態】
【００２２】
以下、本発明の実施例について説明する。
【００２３】
（管状ランプ固定具の構成）
図１は、管状ランプ固定具１の構成を示す図である。ここで、図１（Ａ）及び（Ｂ）は、それぞれ、管状ランプ固定具１の表側及び裏側を示す。図１（Ａ）及び（Ｂ）における左右方向を横方向、上下方向を縦方向とも呼ぶ。管状ランプ固定具１は、管状ランプ１２を天面１３に固定するための器具であり、保持部２、第１及び第２吊下部３，４を含む。なお、管状ランプ１２は、一例として管状のＬＥＤランプとするが、これに限らず蛍光灯であってもよい。
【００２４】
保持部２は、管状ランプに一面を接して保持するシート状部材である。保持部２は、一例としてセロハン、塩化ビニル等の透明或いは透光性の高い素材から、例えば一辺１０ｃｍの矩形状に成形される。それにより、管状ランプ１２が発する光を遮ることなくこれを保持することができる。また、保持部２の一面上に粘着面２ａが設けられている。それにより、保持部２の粘着面２ａを管状ランプ１２に粘着することで、地震等の振動等によって管状ランプ１２が抜け落ちることが防止され、管状ランプ１２を安定して固定することができる。
【００２５】
第１及び第２吊下部３，４は、保持部２を（これを介して管状ランプ１２を）天面１３から吊り下げ支持する部分である。第１及び第２吊下部３，４は、一例として樹脂等から、例えば横方向を長手とする長さ２０〜３０ｃｍ及び幅５ｃｍの矩形状に成形される。第１吊下部３は、保持部２の左端の縦方向の一側（すなわち、図１（Ａ）における上側）から左側に延伸し、第２吊下部４は、保持部２の右端の縦方向の他側（すなわち、図１（Ａ）における下側）から右側に延伸する。なお、第１吊下部３は、保持部２の左端の縦方向の他側（すなわち、図１（Ａ）における下側）から左側に延伸してもよく、かかる場合、第２吊下部４は、保持部２の右端の縦方向の一側（すなわち、図１（Ａ）における上側）から右側に延伸してよい。
【００２６】
第１及び第２吊下部３，４は、それぞれ、基端から例えば２ｃｍ以上先端側の範囲の裏側（粘着面２ａが設けられた保持部２の一面とは反対の側）に粘着面３ｂ，４ｂを有する。粘着面３ｂ，４ｂを天面１３に粘着することで保持部２により保持される管状ランプ１２を天面１３に固定することができる。
【００２７】
第１及び第２吊下部３，４は、また、それぞれ、基端の保持部２に接続する箇所の一側粘着面２ａが設けられた保持部２の一面と同一の側）に粘着面３ａ，４ａを有することが好ましい。粘着面３ａ，４ａを管状ランプ１２に粘着することで、地震等の振動等によって管状ランプ１２が抜け落ちることが防止される効果が、粘着面２ａによるものに加えられ、管状ランプ１２をさらに安定して固定することができる。
【００２８】
なお、第１及び第２吊下部３，４は、保持部２より高い耐熱性を有することが好ましい。特にＬＥＤを使用する管状ランプ１２の場合、上面１２ｂ側が高温になるものがある。そのため、上面１２ｂ側に配される第１及び第２吊下部３，４が耐熱性を有することで、管状ランプ１２を長期間安定して天面１３に固定することができる。ここで、耐熱の度合は、管状ランプ１２に合わせて設計すればよい。例えば、管状ランプ１２が通常のＬＥＤランプであれば、２００℃までの熱で破断、変形しないものとすることができる。
【００２９】
また、粘着面３ａ，４ａは、透明であることが好ましい。管状ランプ１２には、上面１２ｂからも発光するものがある。そのため、上面１２ｂに粘着される粘着面３ａ，４ａが透明であることで、発光に基づく照明を低下させないものとすることができる。
【００３０】
（管状ランプ固定具に係る課題）
以上、管状ランプ固定具１の構成を説明した。ここで、かかる構成によって解決しようとする課題を詳述する。
【００３１】
図２は、管状ランプ装置１０の構成を示す図である。管状ランプ装置１０は、支持部材１１、  管状ランプ１２、及び天面１３を備える。管状ランプ１２は、棒状電極１２ｘを支持部材１１に挿入して固定される。ここで、管状ランプ１２の直径Ｒ及び管状ランプ１２の天面１３からの離間距離Ｄは、各々の管状ランプ装置１０に依存して相違する。
【００３２】
図３は、固定形状の管状ランプ固定具２０の問題点を説明するための図である。形状の固定された管状ランプ固定具２０（例えばプラスチック製のもの）は、図に示すように、管状ランプ１２に密着し、天面に固定される。直径Ｒ、及び天面１３から管状ランプ１２の下縁までの距離Ｒ＋Ｄに合わせて設計される。形状の固定された管状ランプ固定具２０は設計されたＲ、Ｄ（Ｒ＋Ｄ）以外の直径Ｒ又は距離Ｒ＋Ｄの場合には対応できない。すなわち、１の管状ランプ固定具２０によって、管状ランプ１２の直径Ｒ及び管状ランプ１２の天面１３からの離間距離Ｄの相違する管状ランプ装置１０に対応することはできない。
【００３３】
図４は、別形態の管状ランプ固定具３０の問題点を説明するための図である。形状の固定された管状ランプ固定具２０では不都合なので、管状ランプ固定具１と同様に、保持部２、第１及び第２吊下部３’，４’を含む管状ランプ固定具３０を用いるものである。管状ランプ固定具３０は、管状ランプ固定具１と相違し、粘着面３ｂ，４ｂが基端の保持部２に接続する箇所の一側粘着面２ａが設けられた保持部２の一面と同一の側）に設けられている。
【００３４】
このため、図に示すように、第１及び第２吊下部３’，４’を管状ランプ１２の外側に延伸し、その先で粘着面３ｂ’，４ｂ’を天面１３に粘着する。ここで、管状ランプ１２を天面１３に固定する力は、粘着面３ｂ’，４ｂ’の天面１３に粘着された面積が大きいことで、大きくなる。このためには、第１及び第２吊下部３，４を管状ランプ１２から鉛直に真上に延伸することが最適である。しかし、専門技術を有さない者が管状ランプ固定具３０を設置すると、図に示すように大きく外側に延伸してしまうことが多く、十分な保持力を得ることができない。
【００３５】
また、第１及び第２吊下部３，４が、プラスチック等の弾性を有するものである場合、原形状（図において直線状）に戻ろうとする力が発生する。この力は、粘着面３ｂ，４ｂが剥離される向きに作用する。
【００３６】
以上のように、従来の管状ランプ固定具２０、３０では、管状ランプ１２の直径Ｒ及び管状ランプ１２の天面１３からの離間距離Ｄの相違する管状ランプ装置１０に対応することができない、十分な保持力を得ることができない、という課題があった。
【００３７】
（管状ランプ固定具１の使用方法）
以下、管状ランプ固定具１の使用方法を示す。合わせて上記課題を解決していることを説明する。
【００３８】
図５は、管状ランプ固定具１の使用方法を説明するための側面図である。管状ランプ固定具１を設置する手順は、以下のとおりである。
【００３９】
まず、管状ランプ固定具１の一面を上側に向け、保持部２の粘着面２ａを管状ランプ１２の下面１２ａに粘着してこれを保持する。
【００４０】
次に、管状ランプ１２の下面１２ａ側から第１及び第２吊下部３，４を、管状ランプ１２を周回させる。この際、粘着面３ａ，４ａが管状ランプ１２の上面１２ｂに粘着される。
【００４１】
次に、管状ランプ１２の上面１２ｂ上で交差させて、それぞれ右側及び左側に延伸する。かかる交差を可能とするために、第１吊下部３と第２吊下部４とが保持部２の一側と他側に設けられ、管状ランプ１２の上面１２ｂ上で第１吊下部３と第２吊下部４とが干渉しないようになっている。
【００４２】
最後に、それぞれの粘着面３ｂ，４ｂを天面１３に粘着する。これにより、管状ランプ１２が天面１３に固定される。なお、さらに、第１及び第２吊下部３，４をネジ等の固定部材を用いて天面１３に固定してもよい。
【００４３】
ここで、保持部２の粘着面２ａと第１及び第２吊下部３，４の粘着面３ｂ，４ｂとが互いに逆の面に設けられていることで、管状ランプ１２の上面１２ｂ側で第１及び第２吊下部３，４を交差して、それぞれの粘着面３ｂ，４ｂを天面１３に粘着することができる。ここで、第１及び第２吊下部３，４を平らなシート状に戻る弾力を有するように構成することで、その弾力によりそれぞれの粘着面３ｂ，４ｂが天面１３に付着する方向に押し付けられる。
【００４４】
図６は、管状ランプ固定具１の使用方法を説明するための正面図である。管状ランプ１２は、棒状電極１２ｘを支持部材１１に挿入して固定されているが、棒状電極１２ｘが支持部材１１から離脱してしまう場合にも、管状ランプ１２が落下しないように、管状ランプ固定具１を用いる。
【００４５】
管状ランプ固定具１は、管状ランプ固定具２０のように固定形状ではなく、保持部２と第１及び第２吊下部３，４とが、管状ランプ１２の直径Ｒ及び管状ランプ１２の天面１３からの離間距離Ｄに合わせて配置され、管状ランプ装置１０のサイズ（Ｒ、Ｄ）の相違に対応することができる。この点は、管状ランプ固定具３０も同様である。
【００４６】
管状ランプ固定具１は、第１及び第２吊下部３，４を、管状ランプ１２を周回させ、管状ランプ１２の上面１２ｂ上で交差させて、それぞれ右側及び左側に延伸する。このため、設置者は、第１及び第２吊下部３，４を管状ランプ１２の上面１２ｂの上に通す操作を行う。その際、第１及び第２吊下部３，４の粘着面３ｂ，４ｂを天面１３に自然に貼り付ける。専門技術を有さない者であっても、粘着面３ｂ，４ｂの天面１３に粘着された面積が大きいものとなる。
【００４７】
このことと、第１及び第２吊下部３，４の弾力により粘着面３ｂ，４ｂが天面１３に付着する方向に押し付けられることと、粘着面３ａ，４ａの効果によって、十分な保持力を得ることができ、管状ランプ１２を安定して固定することができる。
【００４８】
管状ランプ固定具１は、地震等の振動等により、棒状電極１２ｘが支持部材１１から離脱してしまう場合に、管状ランプ１２の落下を防止するものである。管状ランプ固定具１には、管状ランプ１２が懸架されており、管状ランプ固定具１から管状ランプ１２が外れて落下する場合としては、管状ランプ１２が図６において左右方向（図５において紙面鉛直方向）に移動するような力が加わる場合が多いと考えられる。地震の振動では、その方向の成分を有する力が加わると考えられる。ここで、管状ランプ固定具１が管状ランプ１２に近接していれば、移動が抑制される可能性が大きい。図５に示した本実施例の管状ランプ固定具１は、図４に示した従来の管状ランプ固定具３０に比して、管状ランプ１２に近接しており、移動が抑制される。
【産業上の利用可能性】
【００４９】
専門技術を有さない者であっても容易にかつ確実に管状ランプ１２を天面に固定することができる管状ランプ固定具１である。多くの家庭、工場等における利用が考えられる。
【符号の説明】
【００５０】
１      管状ランプ固定具
２      保持部
２ａ    粘着面
３      吊下部
３ａ    粘着面
３ｂ    粘着面
４      吊下部
４ａ    粘着面
４ｂ    粘着面
１０    管状ランプ装置
１１    支持部材
１２    管状ランプ
１２ａ  下面
１２ｂ  上面
１３    天面
２０    管状ランプ固定具
３０    管状ランプ固定具
【図１】
2019133822.tif 000003
【図２】
2019133822.tif 000004
【図３】
2019133822.tif 000005
【図４】
2019133822.tif 000006
【図５】
2019133822.tif 000007
【図６】
2019133822.tif 000008